(57)【特許請求の範囲】
【請求項１】
紙葉を堆積させて収納する紙葉収納領域に既に堆積された紙葉を紙葉移動用アームを駆動して退避させて新たに搬入される紙葉を収容する収容空間を形成し、この収容空間に前記新たに搬入される紙葉を収容し、前記紙葉移動用アームを所定の位置に復帰させることによって前記収容空間に収容された紙葉を前記堆積された紙葉に追加する紙葉処理装置において、
前記紙葉移動用アームの移動方向に移動可能に弾性手段によって支持され、前記紙葉移動用アームの移動経路であって前記収容空間に収容された紙葉が載置される載置板と当該収容空間を囲む側板との間を閉鎖する閉鎖板を有する紙葉処理装置。
【発明の詳細な説明】
【０００１】
【発明の属する技術分野】
本発明は、例えば、発券機などに用いられる紙幣処理装置等の紙葉処理装置に関する。
【０００２】
【従来の技術】
例えば、発券機等には、入金された紙幣を収納または紙幣を釣り札として出すときなどに、入金された紙幣を紙幣収納部に収納し、かつ釣り札を送り出す際には、前記紙幣収納部に収納された紙幣を送り出すことが可能な紙幣処理装置が一般的に用いられる。
【０００３】
このような紙幣処理装置において、釣り札を送り出すには、例えば、低摩擦面と高摩擦面とで構成される外周を有する紙葉送りローラを回転させて紙幣収納部の最下段の紙幣を送り出すことによって釣り札を送り出す。
また、紙幣を収納する際には、紙幣挿入口から挿入、搬送された紙幣は、紙幣収納領域である紙幣収納部に紙幣を堆積させて収納する。
このとき、紙幣挿入口から挿入された新たな紙幣を紙幣収納部に既に堆積され収納された紙幣の例えば最下段に追加するには、既に堆積され収納された紙幣を一時的に退避させる必要がある。
【０００４】
既に堆積され収納された紙幣を一時的に退避させる方法として、例えば、図５に示すように、アームを用いた方法が知られている。
図５は、紙幣処理装置における紙幣収納部１０１およびその周辺を示した説明図である。
【０００５】
図５において、既に紙幣収納部１０１の載置板１１２には紙幣１２２がプレス板１０２によって押圧されつつ堆積されている。この堆積された紙幣１２２のうち最下段に位置する紙幣を紙葉送りローラ１０３の回転によって送り出す。すなわち、最下段に位置する紙幣の下側表面とローラ１０３の外周に形成された高摩擦性のチップ１０３ａとが当接することによって、最下段に位置する紙幣がゲートローラ１０４、取込ローラ１０５および搬送ピンチローラ１０６を通じて紙幣出入口１１０から外部に搬送される。
【０００６】
一方、このような紙幣の送り出し動作を行った後に、新たな紙幣を紙幣収納部１０１に収納するには、搬送されてきた新たな紙幣を取込ローラ１０５の回転によって紙幣収納部１０１内に取り込む。
このとき、図６（ａ）に示す状態では、既に堆積した紙幣１２２が存在するため、新たに取り込まれる紙幣の挿入が妨害される。
このため、図６（ｂ）に示すように、既に堆積した紙幣をアーム駆動用モータ１２１により駆動するアーム１１１によって上昇させ、新たに取り込まれる紙幣１２３を収容する収容空間１１２を形成し、この収容空間１１２に新たな紙幣を紙幣出入口１１０から収容する。
【０００７】
そして、図６（ｃ）に示すように、新たに取り込まれた紙幣１２３の両端部を下方に折り曲げながらアーム１１１を下降させる。アーム１１１が紙幣１２３の両端部よりも下方に達すると、新たに取り込まれた紙幣１２３は自らの復元力により矢印方向に広がる。
図６（ｃ）に示した状態からアーム１１１を上昇させると図６（ｄ）に示すように、新たに取り込まれた紙幣１２３がアーム１１１上に載置されることになり、この新たに取り込まれた紙幣１２３が堆積した紙幣の最下段を形成することになる。
【０００８】
【発明が解決しようとする課題】
しかしながら、上記の紙幣収納部１０１においては、載置板１１２の両側方はアーム１１１の移動経路となるため、アーム１１１が移動可能なように紙幣収納部１０１の側壁１３１と載置板１１２との間には空間が存在している。
このため、例えば図７（ａ）に示すように、新たに取り込まれる紙幣１２３が折れ曲がった状態で収容空間１１２に収容されると、紙幣収納部１０１の側壁１３１と載置板１１２との間の空間に当該紙幣１２３の一部が落ち込んでしまうことがある。
このような状態でアーム１１１を下降させても、図７（ｂ）に示すように、載置板１１２上に紙幣１２３を首尾よく載置することができず、紙幣１２３を正確に収納することができない。
【０００９】
本発明は、かかる従来の不利益に鑑みてなされたものであって、紙幣処理装置等の紙葉処理装置における紙葉収納部に紙葉を収納する際の収納ミスの発生を防止可能な紙葉処理装置を提供することを目的とする。
【００１０】
【課題を解決するための手段】
本発明に係る紙葉処理装置は、紙葉を堆積させて収納する紙葉収納領域に既に堆積された紙葉を紙葉移動用アームを駆動して退避させて新たに搬入される紙葉を収容する収容空間を形成し、この収容空間に前記新たに搬入される紙葉を収容し、前記紙葉移動用アームを所定の位置に復帰させることによって前記収容空間に収容された紙葉を前記堆積された紙葉に追加する紙葉処理装置において、前記紙葉移動用アームの移動方向に移動可能に弾性手段によって支持され、前記紙葉移動用アームの移動経路であって前記収容空間に収容された紙葉が載置される載置板と当該収容空間を囲む側板との間を閉鎖する閉鎖板を有する。
【００１１】
本発明に係る紙葉処理装置では、閉鎖板の移動方向に移動可能に弾性手段によって支持されていることから、紙葉移動用アームの移動経路が確保される。これと同時に、折れ曲がった紙葉が収容空間に収容されても、紙葉を載置する載置板と収容空間を囲む側板との間の空間が紙葉落ち込み防止板によって閉鎖されているため、当該空間に紙葉の一部が落ち込んで収納ミスを発生させることがない。
【００１２】
【発明の実施の形態】
以下、本発明に係る紙葉処理装置の実施の形態を図面に基づいて説明する。
図１は、本発明に係る紙葉処理装置における収納部を紙幣処理装置に適用した場合の一実施形態を示す説明図である。
ここで、図１を説明する前に、図３および図４に本発明が適用される紙幣処理装置の概略構成図および内部構成図を示す。
【００１３】
図３および図４において、紙幣処理装置３０は、上部から下部に向かって、識別部３１、リジェクト部３２、一時保留・排出部３３、千円札収納部３４、千円札・５千円札払出し部３５、５千円札収納部３６および１万円札収納部３７が設けてある。
【００１４】
紙幣処理装置３０では、切換部４０〜４３による切換装置に応じて、一点鎖線で示される搬送経路５に沿って紙幣が搬送される。
【００１５】
以下、紙幣処理装置３０の各構成要素について説明する。
識別部３１は、札挿入口３８を介して挿入された紙幣の真偽判定および金種の判定を行う。
リジェクト部３２は、切換部４０による切り換えによって、２枚重ね判定などでエラーとなった紙幣を入力し、これを収納する。
【００１６】
一時保留・排出部３３は、釣り銭としての紙幣を千円札・５千円札払出し部３５から入力し、この紙幣を保留する。そして、釣り銭としての紙幣が全てそろった後に、保留した紙幣を全て同時に釣り札出口３９から出力する。
【００１７】
千円札収納部３４は、千円札を収納する。５千円札収納部３６は５千円札を収納する。１万円札収納部３７は、１万円札を収納する。
千円札・５千円札払出し部３５は、切換部４２の切り換え操作によって入力した千円札を千円札収納部３４に収納させると共に、切換部４３の切り換え操作によって入力した５千円札を５千円札収納部３６に収納させる。また、千円札・５千円札払出し部３５は、千円札収納部３４および５千円札収納部３６に収納してある千円札および５千円札を切換部４２，４３を介して選択的に一時保留・排出部３３に出力する。
【００１８】
千円札・５千円札払出し部３５は、送り込みローラ１９、ゲートローラ２１、搬送ピンチローラ２２および戻しローラ２９を備え、千円札収納部３４に収納された紙幣（千円札）２のうち最下段に位置する紙幣を送り込みローラ１９に組み込まれた高摩擦性の溝付ゴムチップ１９ａの回転力に応じて切換部４２を介して一時保留・排出部３３に向かって送り出す。
【００１９】
アーム５０は、千円札収納部３４に収納された紙幣全体を昇降させる。
アーム５０は、識別部３１において千円札が投入されたと判定されると、図４において点線で示すような位置までアーム５０が上昇して、千円札収納部３４に収納された紙幣２を持ち上げ、紙幣２の最下段の紙幣と載置板５２との間に、紙幣２の収容空間Ｓを形成する。
そして、切換部４２の切り換え操作に応じて、搬送ピンチローラ２２、紙葉送り羽根車２０およびゲートローラ２１を介して上記の収容空間Ｓに送り込まれた紙幣２を載置板５２上に載置する。
【００２０】
次に、アーム５０を下降させ、載置板５２上に載置した紙幣２を既に堆積された紙幣２の最下段に取り込む。
なお、アーム５１は、５千円札収納部３６および１万円札収納部３７に収納された紙幣を連動して昇降させる。
【００２１】
上記のように構成される紙幣処理装置３０において、千円札収納部３４に本発明を適用したものが図１に示すものである。
ここで、図１（ａ）は千円札収納部３４を上方向から見た断面図であり、図１（ｂ）は千円札収納部３４を紙幣の搬出入方向から見た断面図である。
図１（ａ）に示すように、上記した戻しローラ２９および送り込みローラ１９が突出するように窓部５２ａおよび５２ｂが形成されている載置板５２の両側には、載置板５２と千円札収納部３４を囲む側板５５との間を閉鎖するための閉鎖板５３がそれぞれ設けられている。
【００２２】
この閉鎖板５３は、図１（ｂ）に示すように、支持部材５７に固定されたバネ部材５６によって、上記したアーム５０の移動方向に移動可能に支持されている。図１（ｂ）は、プレス板５８によって押圧された状態で堆積された紙幣２をアーム５０によって持ち上げた状態を示しており、この状態では、閉鎖板５３に荷重が印加されておらず、閉鎖板５３の高さは載置板５２と略等しくなっている。
なお、バネ部材５６および支持部材５７は、例えば、各側板５５につき２か所づつ設けることができる。
【００２３】
次に、上記のように構成される千円札収納部３４の動作について説明する。
図２（ａ）に示すように、紙幣２が既に載置板５２上に堆積された状態から、図２（ｂ）に示すように、アーム５０を上昇させて収容空間Ｓを形成し、この収容空間Ｓに上記した搬送ピンチローラ２２、紙葉送り羽根車２０およびゲートローラ２１を介して新たに搬送された紙幣３を収容する。
このとき、新たに搬送された紙幣３が、図２（ｂ）に示すように折れ曲がっていても、上記した閉鎖板５３が設けられているため、紙幣３の一部が載置板５２と側板５５との間の空間に落ち込むことはない。
【００２４】
図２（ｂ）に示す状態から、アーム５０を下降させると、閉鎖板５３はアーム５０によって押圧されながら移動するため、アーム５０の移動経路は確保され、図２（ｃ）に示す状態となる。
このとき、新たに搬送された紙幣３の両端部は自らの復元力によって矢印方向に開き、この状態からアーム５０を再度上昇させると、図２（ｄ）に示すように、新たに搬送された紙幣３が既に堆積された紙幣２の最下段に追加されることになる。
【００２５】
以上のように、本実施形態に係る紙幣処理装置によれば、閉鎖板５３を載置板５２と側板５５との間に設けたことにより、千円札収納部３４に新たに搬送された紙幣３を収納する際に、載置板５２と側板５５との間の空間に当該紙幣３が落ち込むことがなく、千円札収納部３４への紙幣の収納ミスを防止することができる。
【００２６】
【発明の効果】
以上説明したように、本発明に係る紙葉処理装置によれば、収容空間に紙葉を収容する際に、閉鎖板によって載置板と収容空間を囲む側板との間が閉鎖されているため、載置板と収容空間を囲む側板との間に紙葉の一部が落ち込むのを防止することができる。
この結果、紙葉収納部に紙葉を収納する際の収納ミスの発生を防止することができる。
【図面の簡単な説明】
【図１】本発明に係る紙葉処理装置における収納部を紙幣処理装置に適用した場合の一実施形態を示す説明図であって、図１（ａ）は千円札収納部を上方向から見た断０面図であり、図１（ｂ）は千円札収納部を紙幣の搬出入方向から見た断面図である。
【図２】図１に示す紙幣処理装置における収納部の動作例を説明するための説明図であって、図２（ａ）は、紙幣が既に載置板上に堆積された状態を示す説明図であり、図２（ｂ）は、アームを上昇させて収容空間を形成し、この収容空間に新たに搬送された紙幣を収容した状態を示す説明図であり、図２（ｃ）は、図２（ｂ）に示す状態からアームを下降させた状態を示す説明図であり、図２（ｄ）は、新たに搬送された紙幣が既に堆積された紙幣の最下段に追加された状態を示す説明図である。
【図３】本発明が適用される紙幣処理装置の概略構成図である。
【図４】本発明が適用される紙幣処理装置の内部構成図である。
【図５】従来の紙幣処理装置における紙幣収納部およびその周辺を示した説明図である。
【図６】図５に示した紙幣収納部に紙幣を収納する動作手順を説明するための説明図であって、図６（ａ）は、紙幣が既に載置板上に堆積された状態を示す説明図であり、図６（ｂ）は、アームを上昇させて収容空間を形成し、この収容空間に新たに搬送された紙幣を収容した状態を示す説明図であり、図６（ｃ）は図６（ｂ）に示す状態からアームを下降させた状態を示す説明図であり、図６（ｄ）は、新たに搬送された紙幣が既に堆積された紙幣の最下段に追加された状態を示す説明図である。
【図７】図５に示した紙幣収納部に紙幣を収納した際に収納ミスが発生する場合の一例を説明するための説明図である。
【符号の説明】
２…紙幣
１９…送り込みローラ
２０，２５…紙幣送り羽根車
２１，２６…ゲートローラ
２２…搬送ピンチローラ
２９…戻しローラ
３０…紙幣処理装置
３１…識別部
３２…リジェクト部
３３…一時保留・排出部
３４…千円札収納部
３５…千円札・５千円札払出し部
３６…千円札収納部
３７…１万円札収納部
３８…札挿入口
３９…釣札出口
４０，４１，４２，４３…切換部
５０，５１…アーム
５２…載置板
５３…閉鎖板
５５…側板
５６…バネ部材
５７…支持部材
５８…プレス板
Ｓ…収容空間
【図１】
0003707752.tif 000002
【図２】
0003707752.tif 000003
【図３】
0003707752.tif 000004
【図４】
0003707752.tif 000005
【図５】
0003707752.tif 000006
【図６】
0003707752.tif 000007
【図７】
0003707752.tif 000008